(57)【要約】【課題】  廉価なカラー印刷装置においては、印刷装置の電源を投入する毎に電源投入による色補正処理（キャリブレーション処理）を実行しなくてはならなくない。  この結果、印刷装置の電源投入後、直ちにホストコンピュータから何らかのデータを印刷出力したいような場合でも、色補正処理が終了するまで印刷出力が待たされてしまう。【解決手段】  印刷装置の電源遮断時間、及び、機内温度・湿度・水分量等の環境要因を電源遮断前と電源投入後の値で比較する。  比較結果としてキャリブレーションが必要無いと判断した場合は、色補正処理（キャリブレーション処理）を行なわない。【選択図】  図１
2009034895.tif 000002
【特許請求の範囲】
【請求項１】
ホストコンピュータとカラー印刷装置とから成る印刷システムにおいて、カラー印刷装置は、印刷機構部（エンジン）と印刷制御部（コントローラ）から構成されることを特徴とする印刷システム。
【請求項２】
前記印刷機構部はカラー印刷装置の環境情報（機内温度・湿度・絶対水分量）を測定することが可能であることを特徴とする請求項１に記載の印刷システム。
【請求項３】
前記印刷制御部（コントローラ）は、前記印刷機構部が測定したカラー印刷装置内の環境情報を取得することが可能であることを特徴とする請求項１又は請求項２に記載の印刷システム。
【請求項４】
前記印刷制御部（コントローラ）は、前記外部装置から時刻情報を取得することが可能であることを特徴とする請求項１〜請求項３のいずれかに記載の印刷システム。
【請求項５】
前記印刷制御部（コントローラ）は不揮発性メモリを有し、前記環境情報、及び、前記時刻情報を不揮発性メモリに格納することを特徴とする請求項１〜請求項４のいずれかに記載の印刷システム。
【請求項６】
前記印刷制御部（コントローラ）は、一定時間間隔で前記環境情報を取得し、前記不揮発性メモリ内に、時刻情報とともに環境情報を格納することを特徴とする請求項１〜請求項５のいずれかに記載の印刷システム。
【請求項７】
カラー印刷装置の電源投入時に、前記時刻情報、及び、前記環境情報を取得することを特徴とする請求項１〜請求項６のいずれかに記載の印刷システム。
【請求項８】
カラー印刷装置の電源投入時に取得した時刻情報及び環境情報と、前記不揮発性メモリに格納されている時刻情報及び環境情報とを比較することを特徴とする請求項１〜請求項７のいずれかに記載の印刷システム。
【請求項９】
前記比較結果が一定値以下の場合には、前記カラー印刷装置のキャリブレーション処理を行なわないようにしたことを特徴とする請求項１〜請求項８のいずれかに記載の印刷システム。
【発明の詳細な説明】
【技術分野】
【０００１】
本発明は、ホストコンピュータとカラー印刷装置から成る印刷システムにおける色調整の制御方法に関するものである。
【０００２】
詳細には、カラー印刷装置内の印刷機構部において、印刷出力の為の色補正を行うようなカラー印刷装置を用いたカラー印刷システム及び印刷制御方法、並びに、これらの色補正制御方法、カラー印刷システム及び印刷制御方法に用いるプログラムを格納した記憶媒体に関するものである。
【背景技術】
【０００３】
従来このようなカラー印刷システム及び印刷制御方法は、一つの双方向インタフェース（例えば、シリアル、パラレル、ＵＳＢ等々）を介してホストコンピュータと一対一で接続されているのが一般的な使用形態である。
【０００４】
これらのカラー印刷システムでは、適切な印刷結果を得る為に、カラー印刷装置内の印刷機構部で色補正処理を行なう必要がある。
【０００５】
通常は、印刷機構部において、色調整が必要になった場合、印刷機構部はカラー印刷装置内のコントローラに対して色補正処理を実行するように要求する。ここで、コントローラは、適切なタイミングで印刷機構部に色補正処理の実行を指示することにより、一連の色調整が行われるのが一般的である。
【０００６】
又、別の従来例としては、特許文献１をあげることが出来る。
【特許文献１】特開2003-167394号公報
【発明の開示】
【発明が解決しようとする課題】
【０００７】
一般的なカラー印刷装置、特に、廉価なカラー印刷装置においては、印刷装置の電源を投入する毎に電源投入による色補正処理（キャリブレーション処理）を実行しなくてはならなくなり、印刷可能状態になるまでに時間がかかってしまう。
【０００８】
この結果、印刷装置の電源投入後、直ちにホストコンピュータから何らかのデータを印刷出力したいような場合でも、色補正処理が終了するまで印刷出力が待たされてしまうという問題が発生してしまう。
【０００９】
例えば、本発明と同じような構成の印刷装置として、特許文献１がある。
【００１０】
但し、特許文献１はカラー印刷装置の電源遮断時間だけで、電源投入時の色補正処理（キャリブレーション処理）を実行するかどうかを決めている。
【００１１】
従って、カラー印刷装置の電源遮断前後での機内環境変化に関しては、全く考慮されていないという点で、本発明の主旨と異なるものである。
【課題を解決するための手段】
【００１２】
本発明は、前記の問題点を鑑みて、
・カラー印刷装置内の機内温度・湿度・水分量等を測定出来るようにする。
【００１３】
・印刷装置動作中は、印刷装置に接続しているホストの時計を用いて、定期的に印刷装置の機内温度・湿度・水分量等をサンプリングしサンプリング時間とともに格納する。
【００１４】
・印刷装置の電源が遮断されてから、再度印刷装置の電源が投入されるまでの時間を計測する。
【００１５】
・印刷装置の電源投入時の機内温度・湿度・水分量等を測定する。
【００１６】
・印刷装置の電源遮断時間、及び、機内温度・湿度・水分量等の環境要因を電源遮断前と電源投入後の値で比較する。
【００１７】
・比較結果としてキャリブレーションが必要無いと判断した場合は、色補正処理（キャリブレーション処理）を行なわない。
【００１８】
上記の一連の動作により、廉価なカラー印刷装置において、電源断の時間が一定時間以下で、且、印刷装置の機内温度・湿度・水分量等の環境要因変化が一定値以下の場合には、次にカラー印刷装置を立ち上げた時に必ずしもキャリブレーション処理を行なわなくとも適切な画質を得ることが出来るので、カラー印刷装置の立ち上げから印刷可能状態までの時間を短縮することが可能となる。
【発明の効果】
【００１９】
以上説明したように、本発明は
・カラー印刷装置内の機内温度・湿度・水分量等の測定。
【００２０】
・印刷装置動作中は、印刷装置に接続しているホストの時計を用いて、定期的に印刷装置の機内温度・湿度・水分量等をサンプリングしサンプリング時間とともに格納する。
【００２１】
・印刷装置の電源が遮断されてから、再度印刷装置の電源が投入されるまでの時間を計測する。
【００２２】
・印刷装置の電源投入時の機内温度・湿度・水分量等を測定する。
【００２３】
・印刷装置の電源遮断時間、及び、機内温度・湿度・水分量等の環境要因を電源遮断前と電源投入後の値で比較する。
【００２４】
・比較結果として色補正（キャリブレーション）が必要無いと判断した場合は、色補正処理（キャリブレーション処理）を行なわない。
【００２５】
上記の一連の動作により、廉価なカラー印刷装置において、電源遮断の時間が一定時間以下で、且、印刷装置の機内温度・湿度・水分量等の環境要因変化が一定値以下の場合には、カラー印刷装置の立ち上げから印刷可能状態までの時間を短縮することが可能となる。
【発明を実施するための最良の形態】
【００２６】
次に、本発明の詳細を実施例の記述に従って説明する。
【実施例１】
【００２７】
以下、添付の図面を参照しながら本発明の実施例を説明する。
【００２８】
ここで、カラー印刷装置としては、発光素子としてレーザビームを用いた電子写真プロセスを印刷機構（プリンタエンジン）とする頁単位の印刷装置を実施例に取って説明する。
【００２９】
まず、図１は、本発明に於けるカラー印刷装置及び印刷システムの機能構成を示す概略ブロック図である。
【００３０】
図１に於いて、１００はカラー印刷装置を表わし、１０１はパーソナルコンピュータやワークステーション等のホストコンピュータを表わす。また、１０２は印刷装置内の印刷機構部（プリンタエンジン）を表わし、１０３は、印刷機構部を制御したり、１０１のホストコンピュータとのデータの遣り取りを制御する為の印刷制御部（コントローラ）を表わす。
【００３１】
１０４は、１０２印刷機構部内の各機能の制御を司る印刷機構制御手段を表わす。印刷機構制御手段は、１０２印刷機構部内の各種エラー検知手段の制御を行なったり、後述する１０５色補正手段や１０６環境情報測定手段との制御データの遣り取りを行なう。
【００３２】
更に、後述する１０７印刷制御手段との各種データの遣り取りの制御を行なう。
【００３３】
次に、１０５は、１０２印刷機構部内において、カラー印刷用の色補正（キャリブレーション等）処理を行なう為の色補正手段を表わす。
【００３４】
１０６は、当該カラー印刷装置において、印刷装置機内の温度・湿度・絶対水分量等を測定する為の環境情報測定手段を表わす。
【００３５】
１０７は、１０３印刷制御部全体の制御を司る印刷制御手段を表わす。印刷制御手段は、１０１のホストコンピュータから印刷出力データを受け取り、印刷出力データをビデオ信号に変換して１０４の印刷機構制御手段に送信したり、逆に、１０４の印刷機構制御手段から１０２印刷機構部の状態（ステータス）を受け取り、これを１０１ホストコンピュータに返送したりする。
【００３６】
また、１０１ホストコンピュータ内の後述する１１１日時・時間管理手段から時刻情報（年月日時分秒）を、後述する１１０印刷処理手段を介して、取得することが出来る。
【００３７】
１０８は、前記１０６環境情報測定手段によって測定された機内環境情報（温度・湿度・絶対水分量等）、及び、後述する１１１日時・時間管理手段からの時刻情報（年月日時分秒）を格納しておく為の環境情報及び時刻情報格納手段を表わす。
【００３８】
ここで、当該環境情報及び時刻情報は、カラー印刷装置の電源が断されても失われることがないように不揮発性メモリ等で構成される。
【００３９】
ここで、１０８環境情報及び時刻情報格納手段は、定期的（一定周期）に、前記１０４印刷機構制御手段を介して、前記１０６環境情報測定手段によって測定された機内環境情報（温度・湿度・絶対水分量等）、及び、後述する１１１日時・時間管理手段からの時刻情報（年月日時分秒）を取得し、１０８環境情報及び時刻情報格納手段を用いて不揮発性メモリ等に格納する。
【００４０】
これにより、１０８環境情報及び時刻情報格納手段の不揮発性メモリ内には、印刷装置通電中は、常に最新の環境情報及び時刻情報が格納される。
【００４１】
また、印刷装置の電源が断された場合には、ほぼ電源断された時点での環境情報及び時刻情報を不揮発性メモリ内に確保することが出来る。
【００４２】
次に、１０９は、印刷装置の電源投入時に、前記１０４印刷機構制御手段を介して、前記１０６環境情報測定手段によって測定された機内環境情報（温度・湿度・絶対水分量等）、及び、後述する１１１日時・時間管理手段からの時刻情報（年月日時分秒）を取得し、前記１０８環境情報及び時刻情報格納手段を用いて不揮発性メモリに格納されている環境情報及び時刻情報とを比較する環境情報及び時刻情報比較手段を表わす。
【００４３】
ここで、比較結果が、以下のような一定条件を満たす場合は、
・印刷装置の電源断時間が一定値以下
・印刷装置の電源断前と電源投入後の、機内温度が一定値以下
・印刷装置の電源断前と電源投入後の、機内湿度が一定値以下
・印刷装置の電源断前と電源投入後の、機内絶対水分量が一定値以下
上記場合には、カラー印刷装置を立ち上げた時に必ずしも色補正処理（キャリブレーション処理）を行なわなくとも適切な画質を得ることが出来るので、色補正処理を行わずに印刷出力処理に進むことが可能となる。
【００４４】
一方、上記条件のいずれかに反する場合は、色補正を行う必要があると判断して、色補正処理を行った後印刷出力処理に進む。
【００４５】
尚、１０４から１０９までが、１００カラー印刷装置内の各機能を表わす。
【００４６】
次に、１１０は、１０１のホストコンピュータ内における印刷処理手段を表わす。１１０印刷処理手段は、頁単位で印刷データを生成し、１００カラー印刷装置に送信したり、カラー印刷装置から返送されてくる印刷装置のステータスを受け取ったりする。
【００４７】
また、１１１日時・時間管理手段からの時刻情報（年月日時分秒）を、前記１０７印刷制御手段に通知したりする。
【００４８】
次に、１１１は、１０１ホストコンピュータにおける時計機能を司る日時・時間管理手段を表わす。一般的にはホストコンピュータにおける時計機能やシステム日時を用いる。
【００４９】
次に、図２は、本発明における印刷システムの一例を示した図である。即ち、パーソナルコンピュータやワークステーション等のホストコンピュータと、本発明におけるカラー印刷装置を一つの双方向インタフェース（例えば、シリアル、パラレル、ＵＳＢ等々）を介して一対一で接続し、ホストコンピュータと当該カラー印刷装置が一体となって印刷処理を行なうようなホストベース印刷システムである。これにより、当該印刷装置とホストコンピュータ間で各種情報の遣り取りを行うことが可能となる。
【００５０】
次に、図１、図３、図７及び図８を用いて、本発明の主旨である印刷装置の機内環境情報（温度・湿度・絶対水分量等）のサンプリングと、印刷装置の電源投入時の初期化処理に関して記す。
【００５１】
ここで、当該印刷システムが動作中は、図３に示すように一定周期（図３の白三角のタイミング）で機内環境情報（温度・湿度・絶対水分量等）をサンプリングする。
【００５２】
即ち、図７の１０７印刷制御手段は、図７の７０６の矢印が示すように、１０１ホストコンピュータの７０３時刻情報部から現在の時刻を取得し、当該時刻が図３の白三角のタイミングに合致する場合には、図７の７０５の矢印が示すように、図７の７０１機内環境情報測定部から機内温度・湿度・絶対水分量を取得し、７０４環境情報・時刻情報データ格納部（図５の５０３不揮発性メモリ内）に、その時の時刻情報と供に格納する。
【００５３】
次に、印刷装置の電源が断された後、再度電源が投入（図３の黒三角のタイミング）されると、印刷装置の初期化処理の中で、図８に示すような動作を行う。
【００５４】
即ち、図３の黒三角のt2タイミングで、時刻情報（図８の７０６矢印）、及び、機内環境情報測定部から機内温度・湿度・絶対水分量を取得（図８の７０５矢印）し、７０４環境情報・時刻情報データ格納部（図５の５０３不揮発性メモリ内）に格納されている環境情報・時刻情報（図３のt1での白三角でサンプリングされた情報）と比較することにより、
・印刷装置の電源断時間が一定値以下
・印刷装置の電源断前と電源投入後の、機内温度が一定値以下
・印刷装置の電源断前と電源投入後の、機内湿度が一定値以下
・印刷装置の電源断前と電源投入後の、機内絶対水分量が一定値以下
上記条件が成立する場合には、必ずしも色補正処理（キャリブレーション処理）を行なわなくとも適切な画質を得ることが出来ると判断し、色補正処理（キャリブレーション処理）を行わずに、通常の印刷処理動作に入る。
【００５５】
次に、図４は、本発明にかかるカラー印刷装置の一例を示す概念図である。
【００５６】
ここで、印刷装置としては、発光素子としてレーザビームを使用したレーザビームプリンタ４０２（図１の１００に対応）を例とし、カラー印刷装置に各種印刷データを送信するためのホストコンピュータ４０１（図１の１０１に対応）とが接続されている。カラー印刷装置４０２は、コントローラ部４０３（図１の１０３印刷制御部に対応）とエンジン部４０４（図１の１０２印刷機構部に対応）とから構成される。
【００５７】
エンジン部４０４は、エンジン部内の全体をコントロールする制御部４０５（図１の１０４印刷機構制御手段に対応）と、画像を形成するための光学系４０６と、印刷処理を行なう電子写真プロセス・給紙搬送系４０７とから構成される。
【００５８】
制御部４０５は、コントローラ部４０３からのビデオ信号や制御コマンドを受信したり、エンジン部４０４のステータスをコントローラ部４０３に送信したり、電子写真プロセスや給紙搬送系及び光学系を制御する。また、制御部４０５は各種エラー検知機能を有し、電子写真プロセス・給紙搬送系４０７から各種エラー情報を受け取り、これらの情報を元に印刷装置のステータス情報を作成し、コントローラ部４０３に伝達される。
【００５９】
また、コントローラ部４０３は、カラー印刷装置に於ける操作パネル４０８を有している。
【００６０】
次に、図５は、図４に示したプリンタコントローラ４０３の詳細構成を説明するブロック図である。
【００６１】
図５において、５０１はホストコンピュータインタフェース回路を表わし、ホストコンピュータ４０１との信号の入出力部として機能する。
【００６２】
５０２はプリンタコントローラ４０３全体の制御を司る中央演算装置（ＣＰＵ）を表わす。
【００６３】
５０３は、印刷装置の電源ＯＮ/ＯＦＦでも失われない情報を格納しておく為の不揮発性メモリを表わし、例えば、ＮＶＲＡＭやＥＥＰＲＯＭ等で構成される。
【００６４】
本発明の主旨である機内環境情報（温度・湿度・絶対水分量等）、及び、時刻情報（年月日時分秒）は、５０３不揮発性メモリ内に格納される。
【００６５】
５０４は、中央演算装置（ＣＰＵ）５０２によって実行される制御プログラムを格納したメモリ（ＲＯＭ）を表わす。
【００６６】
５０５は、５０４のメモリ（ＲＯＭ）に格納された制御プログラムを実行するに当たって、必要な情報を格納する為の書き換え可能なメモリ（ＲＡＭ）を表わす。
【００６７】
また、機内環境情報（温度・湿度・絶対水分量等）、及び、時刻情報（年月日時分秒）の一時格納場所として、５０５のメモリ（ＲＡＭ）が使用される。
【００６８】
更に、ホストコンピュータ４０１から送信される印刷データの受信ＢＵＦＦＥＲや、印刷データを基にイメージデータ（ビットマップデータ）を生成し格納する領域等は、５０５内のメモリ（ＲＡＭ）に確保される。
【００６９】
５０６は、書き換え可能なメモリ（ＲＡＭ）５０５内に格納されたイメージデータを画像信号ＶＤＯに変換する為の出力バッファレジスタを表わし、５０７は、ＢＤ信号に同期した画像クロック信号ＶＣＬＫを発生する同期クロック発生回路を表わし、更に、５０８は、印刷機構部４０４との信号の入出力部であるインタフェース回路を表わす。
【００７０】
次に、図６は、本発明にかかる印刷装置の電子写真プロセス・給紙搬送系（図４の４０６、４０７に対応）の一例を示した図である。
【００７１】
ここで、図６は、本発明の印刷制御システムに適用可能なカラーレーザビームプリンタの構成を示す断面図である。
【００７２】
図中符号４０４は、カラーレーザビームプリンタ本体（以下、ＣＬＢＰという）で、接続されているホストコンピュータによって展開され供給される印刷データを記録媒体である記録紙等に像を形成するものである。６１０はＣＬＢＰ４０４全体のコントローラユニットである。このコントローラユニット６１０は、ホストコンピュータから受け取った印刷データをビデオ信号に変換してレーザユニット６１１に出力する。ＣＬＢＰの場合、シアン(Ｃ)、マゼンタ(Ｍ)、イエロー(Ｙ)、ブラック(Ｋ)のそれぞれのレーザユニットがあり、それぞれ６１１Ｃ、６１１Ｍ、６１１Ｙ、６１１Ｋに出力される。
【００７３】
コントローラユニット６１０からのビデオ信号の出力を受けたレーザユニット６１１は、レーザユニット６１１内の半導体レーザから発射されるレーザ光６１５のオン・オフ切替をする。レーザ光６１５は、レーザユニット６１１内の回転多面体鏡の回転に応じて左右にふられ、静電ドラム６２１上に印刷パターンの静電潜像を形成する。静電ドラム６２１は、帯電ローラ６２２の帯電部により予め均一に帯電されており、レーザ光走査によって部分的に除電がなされ、前記静電潜像が形成されるものである。
【００７４】
この静電潜像は、自らは所定の一定方向姿勢を保ちつつ回転し、シアン(Ｃ)、マゼンタ(Ｍ)、イエロー(Ｙ)、ブラック(Ｋ)の各カートリッジ６２０Ｃ、６２０Ｍ、６２０Ｙ、６２０Ｋ内の現像器により現像される。
【００７５】
記録紙にはカットシート記録紙６３０が用いられる。このカットシート記録紙６３０はＣＬＢＰ４０４の給紙カセット６４０に装填され、給紙ローラ６４２、６４３および搬送ローラ６４４により装置内に取り込まれて、用紙搬送ベルト６４５により搬送される。搬送されたカットシート記録紙６３０に、搬送中にカートリッジ６２４内の現像装置から画像を転写することにより、フルカラー画像を形成した後、定着ローラ６４６および加圧ローラ６４７により定着を行い、画像形成を終了する。画像形成が終了すると、カットシート記録紙は、排紙トレイ６４８へ排出され、印刷が完了する。
【００７６】
記録紙は、カセット６４０に装填される以外にも、手差しスロット６４１にセットしてもよく、手差しスロット６４１に記録紙をセットすると、給紙ローラ６４２、６４３及び搬送ローラ６４４により装置内に取り込まれて、用紙搬送ベルト６４５により搬送される。
【００７７】
次に、コントローラユニット６１０における画像データの処理に関して説明する。
【００７８】
本実施形態においては、画像データは、上位装置であるホストコンピュータ上において全てイメージデータとして処理された上、所定のインターフェースを用いてＣＬＢＰ４０４へと転送される。この際の画像データはＣＭＹＫ各色２値以上のイメージデータであり、必要に応じて圧縮されたものになっている。コントローラユニット６１０では、受け取った画像データの伸張を行うとともに、パルス幅変調信号としてレーザユニット６１１に出力する。
【００７９】
次に、本発明の概念を、図３、図７、図８を参照しながら、図９〜図１１のフローチャートに従って説明する。
【００８０】
まず、図９は、１０７印刷制御手段内における機内環境情報（温度・湿度・絶対水分量等）、及び、時刻情報（年月日時分秒）の取得・格納の動作を表わし、図５の５０４ＲＯＭ内のプログラムとして動作する。
【００８１】
ここで、図９の処理は、図５の５０４ＲＯＭ内のメインプログラムから一定周期（図３の白三角のタイミング）で呼び出されて動作する。
【００８２】
まず、当処理が呼び出されると、図７に示す１０１ホストコンピュータ内の７０３時刻情報部（図１の１１１日時・時間管理手段に対応）から、その時点での時刻情報（年月日時分秒）を取得し、１０３印刷制御部内の７０２ＲＡＭ（図５の５０５ＲＡＭに対応）に一時的にセーブする（図９ステップＳ９０１）。
【００８３】
次に、図７に示す１０２印刷機構部内の７０１機内環境情報測定部（図１の１０６環境情報測定手段に対応）から、その時点での機内温度を取得し、１０３印刷制御部内の７０２ＲＡＭ（図５の５０５ＲＡＭに対応）に一時的にセーブする（図９ステップＳ９０２）。
【００８４】
同様に、図７に示す１０２印刷機構部内の７０１機内環境情報測定部（図１の１０６環境情報測定手段に対応）から、その時点での機内湿度を取得し、１０３印刷制御部内の７０２ＲＡＭ（図５の５０５ＲＡＭに対応）に一時的にセーブする（図９ステップＳ９０３）。
【００８５】
更に、図７に示す１０２印刷機構部内の７０１機内環境情報測定部（図１の１０６環境情報測定手段に対応）から、その時点での機内絶対水分量を取得し、１０３印刷制御部内の７０２ＲＡＭ（図５の５０５ＲＡＭに対応）に一時的にセーブする（図９ステップＳ９０４）。
【００８６】
次に、図７の７０２ＲＡＭに一時的にセーブされた機内環境情報（温度・湿度・絶対水分量等）、及び、時刻情報（年月日時分秒）を、図７の７０４環境情報・時刻情報データ格納部（不揮発性メモリ）（図１の１０８環境情報及び時刻情報格納手段に対応）に書き込んで処理を終了する（図９ステップＳ９０５）。
【００８７】
次に、図１０は、カラー印刷装置の電源投入時の、１０７印刷制御手段内における機内環境情報（温度・湿度・絶対水分量等）、及び、時刻情報（年月日時分秒）の取得・格納の動作を表わし、図５の５０４ＲＯＭ内のプログラムとして動作する。
【００８８】
ここで、図１０の処理は、図５の５０４ＲＯＭ内のメインプログラムから、カラー印刷装置電源投入時の初期処理の一環として（図３の黒三角t2のタイミング）呼び出され動作する。
【００８９】
まず、当処理が呼び出されると、図８に示す１０１ホストコンピュータ内の７０３時刻情報部（図１の１１１日時・時間管理手段に対応）から、その時点での時刻情報（年月日時分秒）を取得し、１０３印刷制御部内の７０２ＲＡＭ（図５の５０５ＲＡＭに対応）に一時的にセーブする（図１０ステップＳ１００１）。
【００９０】
次に、図８に示す１０２印刷機構部内の７０１機内環境情報測定部（図１の１０６環境情報測定手段に対応）から、その時点での機内温度を取得し、１０３印刷制御部内の７０２ＲＡＭ（図５の５０５ＲＡＭに対応）に一時的にセーブする（図１０ステップＳ１００２）。
同様に、図８に示す１０２印刷機構部内の７０１機内環境情報測定部（図１の１０６環境情報測定手段に対応）から、その時点での機内湿度を取得し、１０３印刷制御部内の７０２ＲＡＭ（図５の５０５ＲＡＭに対応）に一時的にセーブする（図１０ステップＳ１００３）。
更に、図８に示す１０２印刷機構部内の７０１機内環境情報測定部（図１の１０６環境情報測定手段に対応）から、その時点での機内絶対水分量を取得し、１０３印刷制御部内の７０２ＲＡＭ（図５の５０５ＲＡＭに対応）に一時的にセーブする（図１０ステップＳ１００４）。
【００９１】
次に、図８の７０２ＲＡＭに一時的にセーブされた機内環境情報（温度・湿度・絶対水分量等）、及び、時刻情報（年月日時分秒）を、一括して図８の７０２ＲＡＭ内に格納して処理を終了する（図１０ステップＳ１００５）。
【００９２】
次に、図１１は、図１の１０９環境情報及び時刻情報比較手段の動作を表わす。
【００９３】
当処理は、図５の５０４ＲＯＭ内のメインプログラムから、カラー印刷装置電源投入時の初期処理の一環として、図１０の処理終了後呼び出され動作する。
【００９４】
まず、当処理が呼び出されると、図１０の処理によって図８の７０２ＲＡＭ内に格納されている時刻情報（年月日時分秒）（図３のt1に対応）と、図９の処理によって図８の７０４環境情報・時刻情報データ格納部に格納されている時刻情報（年月日時分秒）（図３のt2に対応）を比較する（図１１ステップＳ１１０１）。
【００９５】
ここで、（t2 − t1）が一定時間内の場合には、図１１ステップＳ１１０２に進む。
【００９６】
一定時間以上経過している場合には、カラー印刷装置は色補正を行う必要があると判断して色補正処理（キャリブレーション処理）を実行して、当処理を終了する（図１１ステップＳ１１０５）。
【００９７】
次に、図１１ステップＳ１１０１で（t2 − t1）が一定時間内の場合には、図１０の処理によって図８の７０２ＲＡＭ内に格納されている機内温度（図３のt1時における機内温度）と、図９の処理によって図８の７０４環境情報・時刻情報データ格納部に格納されている機内温度（図３のt2時における機内温度）を比較する（図１１ステップＳ１１０２）。
【００９８】
ここで、t1時の機内温度とt2時の機内温度との絶対差が一定値以内の場合には、図１１ステップＳ１１０３に進む。
【００９９】
一定値以上差がある場合には、カラー印刷装置は色補正を行う必要があると判断して色補正処理（キャリブレーション処理）を実行して、当処理を終了する（図１１ステップＳ１１０５）。
【０１００】
次に、図１１ステップＳ１１０２で機内温度差が一定値以内の場合には、図１０の処理によって図８の７０２ＲＡＭ内に格納されている機内湿度（図３のt1時における機内湿度）と、図９の処理によって図８の７０４環境情報・時刻情報データ格納部に格納されている機内湿度（図３のt2時における機内湿度）を比較する（図１１ステップＳ１１０３）。
【０１０１】
ここで、t1時の機内湿度とt2時の機内湿度との絶対差が一定値以内の場合には、図１１ステップＳ１１０４に進む。
【０１０２】
一定値以上差がある場合には、カラー印刷装置は色補正を行う必要があると判断して色補正処理（キャリブレーション処理）を実行して、当処理を終了する（図１１ステップＳ１１０５）。
【０１０３】
次に、図１１ステップＳ１１０３で機内湿度差が一定値以内の場合には、図１０の処理によって図８の７０２ＲＡＭ内に格納されている絶対水分量（図３のt1時における水分量）と、図９の処理によって図８の７０４環境情報・時刻情報データ格納部に格納されている絶対水分量（図３のt2時における水分量）を比較する（図１１ステップＳ１１０４）。
【０１０４】
ここで、t1時の絶対水分量とt2時の水分量との絶対差が一定値以内の場合には、カラー印刷装置の電源断時間が一定時間以下で、且、機内環境情報（温度・湿度・絶対水分量）にあまり変化がないと判断出来、この場合には、色補正処理を行なわずとも適切な画質を得ることが出来る判断して、図１１の処理を終了する。
【０１０５】
一方、図１１ステップＳ１１０４において水分量の差が一定値以上ある場合には、カラー印刷装置は色補正を行う必要があると判断して色補正処理（キャリブレーション処理）を実行して、当処理を終了する（図１１ステップＳ１１０５）。
【０１０６】
［他の実施例］
本発明では、実施例としてレーザビームプリンタを取り上げたが、当然のこととして、ＬＥＤアレイ・液晶シャッタ等を発光素子とする印刷装置に対しても有効であることはいうまでもない。
【０１０７】
また、印刷機構として、電子写真プロセスを用いた印刷装置を想定したが、本発明は印刷機構の如何に関わらず、頁単位で印刷処理を行なう印刷機構であれば、どのような印刷機構（インクジェット、シリアル、熱転写等々）に対しても有効であることはいうまでもない。
【０１０８】
更に、本発明は、連続紙に印刷を行うような印刷機構の印刷装置に、当然適応可能である。
【図面の簡単な説明】
【０１０９】
【図１】本発明における機能・手段を示す概略ブロック図である。
【図２】本発明におけるカラー印刷システムの一例を示した図である。
【図３】本発明におけるカラー印刷装置の電源状態の推移と環境情報のサンプリングタイミングの一例を示す図である。
【図４】当該カラー印刷装置内の印刷機構部の一般的な構成を表した概念図である。
【図５】図４の４０３プリンタコントローラ部のブロック図である。
【図６】本発明におけるカラー印刷装置の構成を示す断面図である。
【図７】カラー印刷装置における、環境情報及び時刻情報の流れを表わした図である。
【図８】カラー印刷装置における、電源投入時の環境情報及び時刻情報の流れを表わした図である。
【図９】本発明において、コントローラ上での環境情報及び時刻情報取得処理を表したフローチャートである。
【図１０】本発明において、コントローラ上での電源投入時における環境情報及び時刻情報取得処理を表したフローチャートである。
【図１１】本発明において、コントローラ上での電源投入時における環境情報及び時刻情報比較処理を表したフローチャートである。
【図１】
2009034895.tif 000003
【図２】
2009034895.tif 000004
【図３】
2009034895.tif 000005
【図４】
2009034895.tif 000006
【図５】
2009034895.tif 000007
【図６】
2009034895.tif 000008
【図７】
2009034895.tif 000009
【図８】
2009034895.tif 000010
【図９】
2009034895.tif 000011
【図１０】
2009034895.tif 000012
【図１１】
2009034895.tif 000013